(57)【特許請求の範囲】
【請求項１】
少なくとも１個の金属空気電池セルと、前記金属空気電池セルを格納する筐体とを備えた箱型の電池ユニットであって、
前記筐体の正面および背面の何れか一方の面に配置された第１正極端子および第１負極端子と、
前記筐体の左右何れか一方の側面に配置され、前記第１正極端子と電気的に接続されている第２正極端子と、
前記筐体の左右何れか他方の側面に配置され、前記第１負極端子と電気的に接続されている第２負極端子とを備えてなり、
前記第１正極端子および前記第１負極端子は、これらが配置されている前記筐体の正面および背面の何れか一方の面を二等分する垂直線に対して線対称の位置にあり、
前記第２正極端子および前記第２負極端子は、前記筐体の右側面および左側面の両方に直交する同一の直線上に位置しており、
前記第１正極端子および前記第１負極端子が配置されていない前記筐体の正面および背面の他方側において、前記金属空気電池セルに液体を補給するための給水ポートが配置されていることを特徴とする金属空気電池ユニット。
【請求項２】
前記正極端子および前記負極端子が、何れもジャック端子であることを特徴とする請求項１に記載の金属空気電池ユニット。
【請求項３】
前記筐体の背面に配置された第１正極端子および第１負極端子と、
前記筐体の右側面に配置され、前記第１正極端子と電気的に接続されている第２正極端子と、
前記筐体の左側面に配置され、前記第１負極端子と電気的に接続されている第２負極端子とを備えてなり、
前記筐体の正面側において、前記金属空気電池セルに液体を補給するための給水ポートが配置されていることを特徴とする請求項２に記載の金属空気電池ユニット。
【請求項４】
請求項１または請求項２に記載の金属空気電池ユニットの複数を電気的に直列に連結してなる金属空気電池であって、
これを構成する２個の金属空気電池ユニットが、一方の金属空気電池ユニットの筐体における左右何れか一方の側面と、他方の金属空気電池ユニットの筐体における左右何れか他方の側面とが接近または接触するように配置され、
一方の金属空気電池ユニットの第２正極端子または第２負極端子と、他方の金属空気電池ユニットの第２負極端子または第２正極端子とが接続されていることを特徴とする金属空気電池。
【請求項５】
請求項３に記載の金属空気電池ユニットの複数を電気的に直列に連結してなる金属空気電池であって、
これを構成する２個の金属空気電池ユニットが、一方の金属空気電池ユニットの筐体における右側面と、他方の金属空気電池ユニットの筐体における左側面とが接近または接触するように配置され、
一方の金属空気電池ユニットの第２正極端子と、他方の金属空気電池ユニットの第２負極端子とが、両側にプラグ端子を有するコードレスの連結コネクタによって接続されていることを特徴とする金属空気電池。
【請求項６】
請求項１または請求項２に記載の金属空気電池ユニットの複数を電気的に直列に連結してなる金属空気電池であって、
これを構成する２個の金属空気電池ユニットが、第１正極端子および第１負極端子が配置されている筐体の面どうしが接近または接触するように配置され、
一方の金属空気電池ユニットの第１正極端子または第１負極端子と、他方の金属空気電池ユニットの第１負極端子または第１正極端子とが接続されていることを特徴とする金属空気電池。
【請求項７】
請求項３に記載の金属空気電池ユニットの複数を電気的に直列に連結してなる金属空気電池であって、
これを構成する２個の金属空気電池ユニットが、筐体の背面どうしが接近または接触するように配置され、
一方の金属空気電池ユニットの第１正極端子または第１負極端子と、他方の金属空気電池ユニットの第１負極端子または第１正極端子とが、両側にプラグ端子を有するコードレスの連結コネクタによって接続されていることを特徴とする金属空気電池。
【請求項８】
請求項１または請求項２に記載の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第１正極端子または第１負極端子と、他方の金属空気電池ユニットの第１負極端子または第１正極端子とが連結治具により接続されていることを特徴とする金属空気電池。
【請求項９】
請求項３に記載の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第１正極端子または第１負極端子と、他方の金属空気電池ユニットの第１負極端子または第１正極端子とが、両側にプラグ端子を有する連結治具によって接続されていることを特徴とする金属空気電池。
【請求項１０】
請求項１または請求項２に記載の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第２正極端子または第２負極端子と、他方の金属空気電池ユニットの第２負極端子または第２正極端子とが連結治具により接続されていることを特徴とする金属空気電池。
【請求項１１】
請求項３に記載の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第２正極端子または第２負極端子と、他方の金属空気電池ユニットの第２負極端子または第２正極端子とが、両側にプラグ端子を有する連結治具によって接続されていることを特徴とする金属空気電池。
【発明の詳細な説明】
【技術分野】
【０００１】
本発明は金属空気電池ユニットおよび金属空気電池に関し、更に詳しくは、少なくとも１個の金属空気電池セルと、前記金属空気電池セルを格納する筐体とを備えた箱型の電池ユニット、およびそのような金属空気電池ユニットの複数を電気的に直列に連結してなる金属空気電池に関する。
【背景技術】
【０００２】
金属空気電池は、マグネシウムなどの金属が酸化する過程で得られる電気エネルギーを取り出すことのできる電池であり、金属極（負極）と空気極（正極）と電解質と備えた電池セルにより構成され、災害時の非常用電源などとして注目されている（下記の特許文献１参照）。
【０００３】
金属空気電池には、その用途などに応じて要求される出力が異なる。このため、種々の用途に対応できるよう、出力（起電力）の異なる種々の金属空気電池を備蓄しておくことも考えられる。
【０００４】
しかしながら、要求される出力に応じて、出力の異なる複数種類の金属空気電池を確保しておくことは煩雑である。
そこで、一定の出力が得られる同一種類の金属空気電池を複数個準備しておき、小さな出力で足りる場合には、この金属空気電池を１個のみで使用し、大きな出力が要求される場合には、複数の金属空気電池を電気的に直列に連結して使用することが考えられる。
ここに、複数の金属空気電池（端子）を直列に連結する場合には、通常、コードが使用される。
【０００５】
しかしながら、複数の金属空気電池を新たに設置したり、複数の金属空気電池の一部を交換したりする際に、複数の金属空気電池の端子間をコードにより接続する作業は煩雑である。また、設置面積の一部をコード類が占有するため、金属空気電池としてのスペース効率の観点から好ましくない。
【先行技術文献】
【特許文献】
【０００６】
【特許文献１】特開２０１３−１６８３６０
【発明の概要】
【発明が解決しようとする課題】
【０００７】
本発明は以上のような事情に基いてなされたものである。
本発明の目的は、コード類を使用することなく、複数個を電気的に直列に連結することができる金属空気電池ユニットを提供することにある。
本発明の他の目的は、コード類を使用することなく、複数個の電池ユニットが電気的に直列に連結されてなる金属空気電池を提供することにある。
【課題を解決するための手段】
【０００８】
（１）本発明の金属空気電池ユニットは、少なくとも１個の金属空気電池セルと、前記金属空気電池セルを格納する筐体とを備えた箱型の電池ユニットであって、
前記筐体の正面および背面の何れか一方の面に配置された第１正極端子および第１負極端子と、
前記筐体の左右何れか一方の側面に配置され、前記第１正極端子と電気的に接続されている第２正極端子と、
前記筐体の左右何れか他方の側面に配置され、前記第１負極端子と電気的に接続されている第２負極端子とを備えてなり、
前記第１正極端子および前記第１負極端子は、これらが配置されている前記筐体の正面および背面の何れか一方の面を二等分する垂直線に対して線対称の位置にあり、
前記第２正極端子および前記第２負極端子は、前記筐体の右側面および左側面の両方に直交する同一の直線上に位置していることを特徴とする。
【０００９】
このような金属空気電池ユニットを２個準備して、一方の金属空気電池ユニットの筐体における左右何れか一方の側面と、他方の金属空気電池ユニットの筐体における左右何れか他方の側面とを接近または接触させるように配置することにより、一方の金属空気電池ユニットの第２正極端子または第２負極端子と、他方の金属空気電池ユニットの第２負極端子または第２正極端子とが対向する。
これにより、一方の金属空気電池ユニットの第２正極端子または第２負極端子と、他方の金属空気電池ユニットの第２負極端子または第２正極端子（一方の金属空気電池ユニットの端子と異なる極性の端子）とをコード類を使用することなく接続することができる。  この結果、左右方向（Ｘ方向）において、２個の金属空気電池ユニットを電気的に直列に連結することができる。また、同様にして３個以上の金属空気電池ユニットを左右方向（Ｘ方向）に連結することもできる。
【００１０】
また、このような金属空気電池ユニットを２個準備して、第１正極端子および第１負極端子が配置されている筐体の面どうしを接近または接触させるように配置することにより、一方の金属空気電池ユニットの第１正極端子と、他方の金属空気電池ユニットの第１負極端子とが対向するとともに、一方の金属空気電池ユニットの第１負極端子と、他方の金属空気電池ユニットの第１正極端子とが対向する。
これにより、一方の金属空気電池ユニットの第１正極端子または第１負極端子と、他方の金属空気電池ユニットの第１負極端子または第１正極端子（一方の金属空気電池ユニットの端子と異なる極性の端子）とをコード類を使用することなく接続することができる。  この結果、前後方向（Ｙ方向）においても、２個の金属空気電池ユニットを電気的に直列に連結することができる。
【００１１】
また、このような金属空気電池ユニットを２個準備して、これらを構成する筐体が同じ方向を向いて積み重ねられるように配置し、一方の金属空気電池ユニットの第１正極端子または第１負極端子と、他方の金属空気電池ユニットの第１負極端子または第１正極端子（一方の金属空気電池ユニットの端子と異なる極性の端子）とを連結治具を使用して接続することにより、高さ方向（Ｚ方向）において、２個の金属空気電池ユニットを電気的に直列に連結することができる。また、同様にして３個以上の金属空気電池ユニットを高さ方向（Ｚ方向）に連結することもできる。
【００１２】
（２）本発明の金属空気電池ユニットにおいて、前記正極端子（第１正極端子および第２正極端子）および前記負極端子（第１負極端子および第２負極端子）は、何れもジャック端子であることが好ましい。
【００１３】
このような構成の金属空気電池ユニットによれば、一方の金属空気電池ユニットの正極端子または負極端子と、他方の金属空気電池ユニットの負極端子または正極端子（一方の金属空気電池ユニットの端子と異なる極性の端子）とを、これらの端子が配置されている面どうしを接近または接触させた状態で、両側にプラグ端子を有するコードレスの連結コネクタによって電気的に接続することができる。
また、正極端子および負極端子を筐体面に露出させていないこのような構成の金属空気電池ユニットによれば、感電事故などを回避することができ、安全性に優れている。
【００１４】
（３）本発明の金属空気電池ユニットにおいては、前記第１正極端子および前記第１負極端子が配置されていない前記筐体の正面および背面の他方側において、前記金属空気電池セルに液体を補給するための給水ポートが配置されていることが好ましい。
【００１５】
このような金属空気電池ユニットを２個準備して、第１正極端子および第１負極端子が配置されている筐体の面（正面および背面の何れか一方の面）どうしを接近または接触させるように配置して金属空気電池を構成することにより、給水ポートを当該金属空気電池の外側に配置することができ、水の補充などを容易に行うことができる。
【００１６】
（４）上記（２）の金属空気電池ユニットにおいて、前記筐体の背面に配置された第１正極端子および第１負極端子と、
前記筐体の右側面に配置され、前記第１正極端子と電気的に接続されている第２正極端子と、
前記筐体の左側面に配置され、前記第１負極端子と電気的に接続されている第２負極端子とを備えてなることが好ましい。
【００１７】
このような金属空気電池ユニットを２個準備し、一方の金属空気電池ユニットの筐体における右側面と、他方の金属空気電池ユニットの筐体における左側面とを接近または接触させるように配置することにより、一方の金属空気電池ユニットの第２正極端子と、他方の金属空気電池ユニットの第２負極端子とが対向するので、一方の金属空気電池ユニットの第２正極端子と、他方の金属空気電池ユニットの第２負極端子とをコード類を使用することなく接続することができ、２個の金属空気電池ユニットを左右方向（Ｘ方向）において、電気的に直列に連結することができる。
【００１８】
また、このような金属空気電池ユニットを２個準備して、第１正極端子および第１負極端子が配置されている筐体の背面どうしを接近または接触させるように配置することにより、一方の金属空気電池ユニットの第１正極端子と、他方の金属空気電池ユニットの第１負極端子とが対向するとともに、一方の金属空気電池ユニットの第１負極端子と、他方の金属空気電池ユニットの第１正極端子とが対向するので、一方の金属空気電池ユニットの第１正極端子または第１負極端子と、他方の金属空気電池ユニットの第１負極端子または第１正極端子（一方の金属空気電池ユニットの端子と異なる極性の端子）とをコード類を使用することなく接続することができ、２個の金属空気電池ユニットを前後方向（Ｙ方向）において、電気的に直列に連結することができる。
【００１９】
また、このような金属空気電池ユニットを２個準備して、これらを構成する筐体が同じ方向を向いて積み重ねられるように配置し、一方の金属空気電池ユニットの第１正極端子または第１負極端子と、他方の金属空気電池ユニットの第１負極端子または第１正極端子（一方の金属空気電池ユニットの端子と異なる極性の端子）とを連結治具を使用して接続することにより、あるいは、一方の金属空気電池ユニットの第２正極端子または第２負極端子と、他方の金属空気電池ユニットの第２負極端子または第２正極端子（一方の金属空気電池ユニットの端子と異なる極性の端子）とを連結治具を使用して接続することにより、当該２個の金属空気電池ユニットを高さ方向（Ｚ方向）において、電気的に直列に連結することができる。
【００２０】
（５）上記（２）の金属空気電池ユニットにおいては、前記筐体の正面側に、前記金属空気電池セルに液体を補給するための給水ポートが配置されていることが好ましい。
【００２１】
このような金属空気電池ユニットを２個準備して、第１正極端子および第１負極端子が配置されている筐体の背面どうしを接近または接触させるように配置して金属空気電池を構成することにより、給水ポートを当該金属空気電池の外側に配置することができる。
【００２２】
（６）本発明の金属空気電池は、上記（１）〜（３）の金属空気電池ユニットの複数を電気的に直列に連結してなる金属空気電池であって、
これを構成する２個の金属空気電池ユニットが、一方の金属空気電池ユニットの筐体における左右何れか一方の側面と、他方の金属空気電池ユニットの筐体における左右何れか他方の側面とが接近または接触するように配置され、
一方の金属空気電池ユニットの第２正極端子または第２負極端子と、他方の金属空気電池ユニットの第２負極端子または第２正極端子（一方の金属空気電池ユニットの端子と異なる極性の端子）とが接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２３】
（７）本発明の金属空気電池は、上記（４）〜（５）の金属空気電池ユニットの複数を電気的に直列に連結してなる金属空気電池であって、
これを構成する２個の金属空気電池ユニットが、一方の金属空気電池ユニットの筐体における右側面と、他方の金属空気電池ユニットの筐体における左側面とが接近または接触するように配置され、
一方の金属空気電池ユニットの第２正極端子と、他方の金属空気電池ユニットの第２負極端子とが、両側にプラグ端子を有するコードレスの連結コネクタによって接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２４】
（８）本発明の金属空気電池は、上記（１）〜（３）の金属空気電池ユニットの複数を電気的に直列に連結してなる金属空気電池であって、
これを構成する２個の金属空気電池ユニットが、第１正極端子および第１負極端子が配置されている筐体の面どうしが接近または接触するように配置され、
一方の金属空気電池ユニットの第１正極端子または第１負極端子と、他方の金属空気電池ユニットの第１負極端子または第１正極端子（一方の金属空気電池ユニットの端子と異なる極性の端子）とが接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２５】
（９）本発明の金属空気電池は、上記（４）〜（５）の金属空気電池ユニットの複数を電気的に直列に連結してなる金属空気電池であって、
これを構成する２個の金属空気電池ユニットが、筐体の背面どうしが接近または接触するように配置され、
一方の金属空気電池ユニットの第１正極端子または第１負極端子と、他方の金属空気電池ユニットの第１負極端子または第１正極端子（一方の金属空気電池ユニットの端子と異なる極性の端子）とが、両側にプラグ端子を有するコードレスの連結コネクタによって接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２６】
（１０）本発明の金属空気電池は、上記（１）〜（３）の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第１正極端子または第１負極端子と、他方の金属空気電池ユニットの第１負極端子または第１正極端子（一方の金属空気電池ユニットの端子と異なる極性の端子）とが連結治具により接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２７】
（１１）本発明の金属空気電池は、上記（４）〜（５）の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第１正極端子または第１負極端子と、他方の金属空気電池ユニットの第１負極端子または第１正極端子（一方の金属空気電池ユニットの端子と異なる極性の端子）とが、両側にプラグ端子を有する連結治具によって接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２８】
（１２）本発明の金属空気電池は、上記（１）〜（３）の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第２正極端子または第２負極端子と、他方の金属空気電池ユニットの第２負極端子または第２正極端子（一方の金属空気電池ユニットの端子と異なる極性の端子）とが連結治具により接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【００２９】
（１３）本発明の金属空気電池は、上記（４）〜（５）の金属空気電池ユニットの複数を電気的に直列に連結してなる金属空気電池であって、
これを構成する２個の金属空気電池ユニットの筐体が同じ方向を向いて積み重ねられるように配置され、
一方の金属空気電池ユニットの第２正極端子または第２負極端子と、他方の金属空気電池ユニットの第２負極端子または第２正極端子（一方の金属空気電池ユニットの端子と異なる極性の端子）とが、両側にプラグ端子を有する連結治具によって接続されていることを特徴とする。
なお、金属空気電池を構成する複数の金属空気電池ユニットの全部または一部として、上記のような２個の金属空気電池ユニットが含まれていれば、当該金属空気電池は本発明の範囲に包含される。
【発明の効果】
【００３０】
本発明の金属空気電池ユニットによれば、コード類を使用することなく、その複数個を電気的に直列に連結して金属空気電池（本発明の金属空気電池）を構成することができる。本発明の金属空気電池ユニットによれば、その複数個を連結して金属空気電池（本発明の金属空気電池）を新たに設置したり、金属空気電池を構成する金属空気電池ユニットの一部を交換したりする際の作業を簡単に行うことができる。
本発明の金属空気電池ユニットにより構成される金属空気電池（本発明の金属空気電池）はスペース効率にも優れている。
【図面の簡単な説明】
【００３１】
【図１】本発明の一実施形態に係る金属空気電池ユニットを正面側から見た斜視図である。
【図２】図１に示した金属空気電池ユニットを背面側から見た斜視図である。
【図３】図１に示した金属空気電池ユニットを背面図である。
【図４】図１に示した金属空気電池ユニットの内部を示す平面図である。
【図５】本発明の金属空気電池ユニットにおける端子の位置を模式的に示す斜視図である。
【図６】本発明の金属空気電池ユニットの端子の位置を模式的に示す説明図であって、（ａ）は平面図（上面図）、（ｂ）は右側面図、（ｃ）は背面図、（ｄ）は左側面図である。
【図７Ａ】第１実施形態に係る金属空気電池の構成を模式的に示す斜視図である。
【図７Ｂ】第１実施形態に係る金属空気電池の構成を模式的に示す平面図（上面図）である。
【図８Ａ】第２実施形態に係る金属空気電池の構成を模式的に示す斜視図である。
【図８Ｂ】第２実施形態に係る金属空気電池の構成を模式的に示す平面図（上面図）である。
【図９Ａ】第３実施形態に係る金属空気電池の構成を模式的に示す斜視図である。
【図９Ｂ】第３実施形態に係る金属空気電池の構成を模式的に示す平面図（上面図）である。
【図１０Ａ】第４実施形態に係る金属空気電池の構成を模式的に示す斜視図である。
【図１０Ｂ】第４実施形態に係る金属空気電池の構成を模式的に示す平面図（上面図）である。
【図１１Ａ】第５実施形態に係る金属空気電池の構成を模式的に示す斜視図である。
【図１１Ｂ】第５実施形態に係る金属空気電池の構成を模式的に示す平面図（上面図）である。
【図１２Ａ】第６実施形態に係る金属空気電池の構成を模式的に示す斜視図である。
【図１２Ｂ】第６実施形態に係る金属空気電池の構成を模式的に示す平面図（上面図）である。
【図１３Ａ】第７実施形態に係る金属空気電池の構成を模式的に示す斜視図である。
【図１３Ｂ】第７実施形態に係る金属空気電池の構成を模式的に示す平面図（上面図）である。
【図１４】第８実施形態に係る金属空気電池の構成を模式的に示す斜視図である。
【図１５】第９実施形態に係る金属空気電池の構成を模式的に示す斜視図である。
【図１６】第１０実施形態に係る金属空気電池の構成を模式的に示す斜視図である。
【図１７】第１１実施形態に係る金属空気電池の構成を模式的に示す斜視図である。
【図１８】第１１実施形態に係る金属空気電池の外観を示す斜視図である。
【発明を実施するための形態】
【００３２】
＜金属空気電池ユニット＞
以下、本発明の金属空気電池ユニットの一実施形態について図面を用いて説明する。
図１〜図４に示す本実施形態の金属空気電池ユニット１００は、金属空気電池セル１１〜１５と、これら金属空気電池セル１１〜１５を格納する筐体２０とを備えた箱型の電池ユニットであって、筐体２０の背面２０２に配置された第１正極端子５１（５１１，５１２）および第１負極端子６１（６１１，６１２）と、筐体２０の右側面２０３に配置され、第１正極端子５１（５１１，５１２）と電気的に接続されている第２正極端子５２（５２１，５２２）と、筐体２０の左側面２０４に配置され、第１負極端子６１（６１１，６１２）と電気的に接続されている第２負極端子６２（６２１，６２２）とを備えてなり、第１正極端子５１（５１１，５１２）および第１負極端子６１（６１１，６１２）は、これらが配置されている筐体２０の背面２０２を二等分する垂直線Ｚに対して線対称の位置にあり、第２正極端子５２（５２１，５２２）および第２負極端子６２（６２１，６２２）は、筐体２０の右側面２０３および左側面２０４の両方に直交する同一の直線Ｘ（Ｘ１，Ｘ２）上に位置している。
図１〜図３において、２２１〜２２５は、それぞれ、筐体２０の正面２０１側における蓋部２３に配列された給水ポート、２４はハンドル（持ち手）である。
【００３３】
本実施形態の金属空気電池ユニット１００を構成する筐体２０は、筐体本体２１と、筐体本体２１の上面を覆うように装着される蓋部２３とからなる。
【００３４】
図２および図３に示すように、筐体２０（蓋部２３）の背面２０２には、第１正極端子５１（５１１，５１２）および第１負極端子６１（６１１，６１２）が設けられている。  また、図１および図２に示すように、筐体２０（蓋部２３）の右側面２０３には、第２正極端子５２（５２１，５２２）が配置され、筐体２０（蓋部２３）の左側面２０４には、第２負極端子６２（６２１，６２２）が配置されている。
【００３５】
第１正極端子５１、第２正極端子５２、第１負極端子６１および第２負極端子６２は、それぞれ、バナナプラグなどのプラグ端子と嵌合可能なジャック端子からなる。
なお、本実施形態において、第１正極端子５１、第２正極端子５２、第１負極端子６１および第２負極端子６２は、電流容量の都合上２つずつ設けられているが、１個だけでもよい。
【００３６】
これらの正極端子（第１正極端子５１、第２正極端子５２）および負極端子（第１負極端子６１、第２負極端子６２）は、金属空気電池に要求される出力に応じて複数の金属空気電池ユニット１００を直列に連結するときに使用される。
ここに、２個の金属空気電池ユニット１００を電気的に直列に連結する態様としては、下記（１）〜（４）に示す態様を挙げることができる。
【００３７】
（１）一方の金属空気電池ユニット１００を構成する筐体２０の右側面２０３または左側面２０４と、他方の金属空気電池ユニット１００を構成する筐体２０の左側面２０４または右側面２０３とを接近または接触させるように配置し、一方の金属空気電池ユニット１００の第２正極端子５２（５２１，５２２）または第２負極端子６２（６２１，６２２）と、他方の金属空気電池ユニット１００の第２負極端子６２（６２１，６２２）または第２正極端子５２（５２１，５２２）とを接続する態様。
【００３８】
（２）一方の金属空気電池ユニット１００を構成する筐体２０の背面２０２と、他方の金属空気電池ユニット１００を構成する筐体２０の背面２０２とを接近または接触させるように配置し、一方の金属空気電池ユニット１００の第１正極端子５１（５１１，５１２）または第１負極端子６１（６１１，６１２）と、他方の金属空気電池ユニット１００の第１負極端子６１（６１１，６１２）または第１正極端子５１（５１１，５１２）とを接続する態様。
【００３９】
（３）一方の金属空気電池ユニット１００を構成する筐体２０と、他方の金属空気電池ユニット１００を構成する筐体２０とが同じ方向を向くように積み重ねて配置し、一方の金属空気電池ユニット１００の第１正極端子５１（５１１，５１２）または第１負極端子６１（６１１，６１２）と、他方の金属空気電池ユニット１００の第１負極端子６１（６１１，６１２）または第１正極端子５１（５１１，５１２）とを連結治具を使用して接続する態様。
【００４０】
（４）一方の金属空気電池ユニット１００を構成する筐体２０と、他方の金属空気電池ユニット１００を構成する筐体２０とが同じ方向を向くように積み重ねて配置し、一方の金属空気電池ユニット１００の第２正極端子５２（５２１，５２２）または第２負極端子６２（６２１，６２２）と、他方の金属空気電池ユニット１００の第２負極端子６２（６２１，６２２）または第２正極端子５２（５２１，５２２）とを連結治具を使用して接続する態様。
【００４１】
図１および図２に示すように、筐体２０（蓋部２３）の右側面２０３に配置された第２正極端子５２（５２１，５２２）と、筐体２０（蓋部２３）の左側面２０４に配置された第２負極端子６２（６２１，６２２）とは、筐体２０の右側面２０３および左側面２０４の両方に直交する直線Ｘ（Ｘ１，Ｘ２）上に位置している。
【００４２】
これにより、上記（１）の態様において、一方の金属空気電池ユニット１００の第２正極端子５２（５２１，５２２）または第２負極端子６２（６２１，６２２）と、他方の金属空気電池ユニット１００の第２負極端子６２（６２１，６２２）または第２正極端子５２（５２１，５２２）とを対向させることができる。
【００４３】
これにより、一方の金属空気電池ユニット１００の第２正極端子５２（５２１，５２２）または第２負極端子６２（６２１，６２２）と、他方の金属空気電池ユニット１００の第２負極端子６２（６２１，６２２）または第２正極端子５２（５２１，５２２）とを、両側にプラグ端子を有するコードレスの連結コネクタによって接続することができる。
【００４４】
図３に示すように、筐体２０（蓋部２３）の背面２０２に配置された第１正極端子５１（５１１，５１２）および第１負極端子６１（６１１，６１２）は、この背面２０２を二等分する垂直線Ｚに対して線対称の位置関係にある。
【００４５】
これにより、上記（２）の態様において、一方の金属空気電池ユニット１００の第１正極端子５１（５１１，５１２）と、他方の金属空気電池ユニット１００の第１負極端子６１（６１１，６１２）とを対向させることができるとともに、一方の金属空気電池ユニット１００の第１負極端子６１（６１１，６１２）と、他方の金属空気電池ユニット１００の第１正極端子５１（５１１，５１２）とを対向させることができる。
【００４６】
これにより、一方の金属空気電池ユニット１００の第１正極端子５１（５１１，５１２）と、他方の金属空気電池ユニット１００の第１負極端子６１（６１１，６１２）とを、両側にプラグ端子を有する連結コネクタによって接続することができるとともに、一方の金属空気電池ユニット１００の第１負極端子６１（６１１，６１２）と、他方の金属空気電池ユニット１００の第１正極端子５１（５１１，５１２）とを、両側にプラグ端子を有するコードレスの連結コネクタによって接続することができる。
【００４７】
図４は、蓋部２３を取り外して見える筐体２０（筐体本体２１）の内部を示している。同図に示すように、筐体本体２１の内部には、カセットタイプの金属空気電池セル１１〜１５が配列されている。
【００４８】
金属空気電池セル１１〜１５には、各々の内部において、マグネシウムシートからなる図示しない金属極（負極）と、図示しない空気極（正極）とが配置されているとともに、電解液が充填されている。
金属空気電池セル１１〜１５は、金属極を構成するマグネシウムシートの消耗などに伴って、全部または一部を交換することができる。
【００４９】
図４において、１５１〜１５５は、それぞれ、金属空気電池セル１１〜１５の正極端子であり、１６１〜１６５は、それぞれ、金属空気電池セル１１〜１５の負極端子である。また、１８１〜１８５は、それぞれ、図１に示した給水ポート２２１〜２２５に対応して金属空気電池セル１１〜１５の各々に設けられた給水口である。
【００５０】
図４に示すように、金属空気電池ユニット１００の第１正極端子５１（５１１，５１２）と第２正極端子５２（５２１，５２２）とは、導電板５３により、互いに電気的に接続されている。
また、金属空気電池ユニット１００の第１負極端子６１（６１１，６１２）と第２負極端子６２（６２１，６２２）とは、導電板６３により、互いに電気的に接続されている。      
【００５１】
金属空気電池ユニット１００の第１正極端子５１（５１１，５１２）および第２正極端子５２（５２１，５２２）は、導電板５５により、金属空気電池セル１１の正極端子１５１に接続され、この金属空気電池セル１１の負極端子１６１は、導電板１７１により、金属空気電池セル１２の正極端子１５２に接続され、この金属空気電池セル１２の負極端子１６２は、導電板１７２により、金属空気電池セル１３の正極端子１５３に接続され、この金属空気電池セル１３の負極端子１６３は、導電板１７３により、金属空気電池セル１４の正極端子１５４に接続され、この金属空気電池セル１４の負極端子１６４は、導電板１７４により、金属空気電池セル１５の正極端子１５５に接続され、この金属空気電池セル１５の負極端子１６５は、導電板６５により、金属空気電池ユニット１００の第１負極端子６１（６１１，６１２）および第２負極端子６２（６２１，６２２）に接続されている。
【００５２】
このように、筐体２０に格納されている金属空気電池セル１１〜１５は直列に接続されており、従って、本実施形態の金属空気電池ユニット１００は、金属空気電池セル１１〜１５を直列に接続してなる組電池であり、第１正極端子５１（５１１，５１２）および第２正極端子５２（５２１，５２２）は当該組電池としての正極端子であり、第１負極端子６１（６１１，６１２）および第２負極端子６２（６２１，６２２）は当該組電池としての負極端子である。
【００５３】
なお、本実施形態において、金属空気電池セル１１〜１５は直列に接続されているが、本発明の金属空気電池ユニットを構成する金属空気電池セルは、並列に接続されていてもよい。また、金属空気電池セルは５個に限定されるものでなく、１個であってもよい。
【００５４】
本実施形態の金属空気電池ユニット１００によれば、コードレスの連結コネクタを使用して、その複数個を電気的に直列に連結して金属空気電池を構成することができる。
ここに、金属空気電池ユニット１００どうしは、第２正極端子５２（５２１，５２２）と、第２負極端子６２（６２１，６２２）とを接続して左右方向（Ｘ方向）に連結してもよいし、第１正極端子５１（５１１，５１２）と、第１負極端子６１（６１１，６１２）とを接続して前後方向（Ｙ方向）に連結してもよい。
また、連結治具を使用して、第１正極端子５１または第２正極端子５２と、第１負極端子６１または第２負極端子６２とを接続することにより、高さ方向（Ｚ方向）に連結することもできる。
【００５５】
本実施形態の金属空気電池ユニット１００によれば、要求される出力に応じて連結する個数を適宜設定し、金属空気電池として使用することができる。
本実施形態の金属空気電池ユニット１００は、コード類を使用することなく連結することができるので、複数個の金属空気電池ユニット１００を連結して金属空気電池を新たに設置したり、当該金属空気電池を構成する金属空気電池ユニット１００の一部を交換したりする際の作業を簡単に行うことができる。
なお、本実施形態の金属空気電池ユニット１００は１個のみで金属空気電池として使用することも可能である。
【００５６】
＜金属空気電池＞
以下、本発明の金属空気電池ユニットの複数を電気的に直列に連結してなる金属空気電池の実施形態（接続態様）について説明する。
なお、以下の説明において、金属空気電池ユニット１００を、図５および図６のようにモデル化した図面を使用する。
すなわち、図５〜図１７においては、金属空気電池ユニット１００の形状を直方体として、その輪郭のみを二点鎖線で示すとともに、端子以外の構成要素の図示を省略している。
【００５７】
（１）第１実施形態：
図７（図７Ａおよび図７Ｂ）に示す本実施形態の金属空気電池５０１は、２個の金属空気電池ユニット１００Ａおよび１００Ｂにより構成されている。
【００５８】
この金属空気電池５０１では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ａの第２負極端子６２と、金属空気電池ユニット１００Ｂの第２正極端子５２とが、連結コネクタ７０によって接続され、これにより、金属空気電池ユニット１００Ａと金属空気電池ユニット１００Ｂとが左右方向（Ｘ方向）において直列に連結されている。
図７（図７Ａおよび図７Ｂ）において、８５１および８６１は、それぞれ、金属空気電池５０１の正極端子および負極端子である。
【００５９】
本実施形態で使用される連結コネクタ７０は、図７Ｂ（２）に示すように、互いに同径のプラグ端子７０１および７０２を両側に有する短尺のコネクタである。
本実施形態では、連結コネクタ７０のプラグ端子７０１を金属空気電池ユニット１００Ａの第２負極端子６２（ジャック端子）に挿入するとともに、プラグ端子７０２を、金属空気電池ユニット１００Ｂの第２正極端子５２（ジャック端子）に挿入することにより、第２負極端子６２と第２正極端子５２とが接続されて、金属空気電池ユニット１００Ａと、金属空気電池ユニット１００Ｂとが連結される。
【００６０】
金属空気電池５０１の正極端子８５１は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０１の負極端子８６１は、連結コネクタ７０と同一構造の連結コネクタにおける一方のプラグ端子を、金属空気電池ユニット１００Ｂの第２負極端子６２に挿入することにより設けられた当該連結コネクタの他方のプラグ端子からなる。
【００６１】
（２）第２実施形態：
図８（図８Ａおよび図８Ｂ）に示す本実施形態の金属空気電池５０２は、３個の金属空気電池ユニット１００Ａ、１００Ｂおよび１００Ｃにより構成されている。
【００６２】
この金属空気電池５０２では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの左側面２０４Ｂと、金属空気電池ユニット１００Ｃを構成する筐体２０Ｃの右側面２０３Ｃとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第２負極端子６２と、金属空気電池ユニット１００Ｃの第２正極端子５２とが、連結コネクタ７０によって接続され、これにより、金属空気電池ユニット１００Ａと金属空気電池ユニット１００Ｂと金属空気電池ユニット１００Ｃとが左右方向（Ｘ方向）において直列に連結されている。
図８（図８Ａおよび図８Ｂ）において、８５２および８６２は、それぞれ、金属空気電池５０２の正極端子および負極端子である。
【００６３】
金属空気電池５０２の正極端子８５２は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０２の負極端子８６２は、連結コネクタ７０と同一構造の連結コネクタにおける一方のプラグ端子を、金属空気電池ユニット１００Ｃの第２負極端子６２に挿入することにより設けられた当該連結コネクタの他方のプラグ端子からなる。
【００６４】
（３）第３実施形態：
図９（図９Ａおよび図９Ｂ）に示す本実施形態の金属空気電池５０３は、４個の金属空気電池ユニット１００Ａ、１００Ｂ、１００Ｃおよび１００Ｄにより構成されている。
【００６５】
この金属空気電池５０３では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの左側面２０４Ｂと、金属空気電池ユニット１００Ｃを構成する筐体２０Ｃの右側面２０３Ｃとが接近または接触し、金属空気電池ユニット１００Ｃを構成する筐体２０Ｃの左側面２０４Ｃと、金属空気電池ユニット１００Ｄを構成する筐体２０Ｄの右側面２０３Ｄとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第２負極端子６２と、金属空気電池ユニット１００Ｃの第２正極端子５２とが、連結コネクタ７０によって接続され、金属空気電池ユニット１００Ｃの第２負極端子６２と、金属空気電池ユニット１００Ｄの第２正極端子５２とが、連結コネクタ７０によって接続され、これにより、金属空気電池ユニット１００Ａと金属空気電池ユニット１００Ｂと金属空気電池ユニット１００Ｃと金属空気電池ユニット１００Ｄとが左右方向（Ｘ方向）において直列に連結されている。
図９（図９Ａおよび図９Ｂ）において、８５３および８６３は、それぞれ、金属空気電池５０３の正極端子および負極端子である。
【００６６】
金属空気電池５０３の正極端子８５３は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０３の負極端子８６３は、連結コネクタ７０と同一構造の連結コネクタにおける一方のプラグ端子を、金属空気電池ユニット１００Ｄの第２負極端子６２に挿入することにより設けられた当該連結コネクタの他方のプラグ端子からなる。
【００６７】
（４）第４実施形態：
図１０（図１０Ａおよび図１０Ｂ）に示す本実施形態の金属空気電池５０４は、３個の金属空気電池ユニット１００Ａ、１００Ｂおよび１００Ｃにより構成されている。
【００６８】
この金属空気電池５０４では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの背面２０２Ｂと、金属空気電池ユニット１００Ｃを構成する筐体２０Ｃの背面２０２Ｃとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第１負極端子６１と、金属空気電池ユニット１００Ｃの第１正極端子５１とが、連結コネクタ７０によって接続され、これにより、金属空気電池ユニット１００Ａと金属空気電池ユニット１００Ｂと金属空気電池ユニット１００Ｃとが左右方向（Ｘ方向）および前後方向（Ｙ方向）において直列に連結されている。
図１０（図１０Ａおよび図１０Ｂ）において、８５４および８６４は、それぞれ、金属空気電池５０４の正極端子および負極端子である。
【００６９】
金属空気電池５０４の正極端子８５４は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０４の負極端子８６４は、連結コネクタ７０と同一構造の連結コネクタにおける一方のプラグ端子を、金属空気電池ユニット１００Ｃの第２負極端子６２に挿入することにより設けられた当該連結コネクタの他方のプラグ端子からなる。
【００７０】
（５）第５実施形態：
図１１（図１１Ａおよび図１１Ｂ）に示す本実施形態の金属空気電池５０５は、４個の金属空気電池ユニット１００Ａ、１００Ｂ、１００Ｃおよび１００Ｄにより構成されている。
【００７１】
この金属空気電池５０５では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの背面２０２Ｂと、金属空気電池ユニット１００Ｃを構成する筐体２０Ｃの背面２０２Ｃとが接近または接触し、金属空気電池ユニット１００Ｃを構成する筐体２０Ｃの左側面２０４Ｃと、金属空気電池ユニット１００Ｄを構成する筐体２０Ｄの右側面２０３Ｄとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第１負極端子６１と、金属空気電池ユニット１００Ｃの第１正極端子５１とが、連結コネクタ７０によって接続され、金属空気電池ユニット１００Ｃの第２負極端子６２と、金属空気電池ユニット１００Ｄの第２正極端子５２とが、連結コネクタ７０によって接続され、これにより、金属空気電池ユニット１００Ａと金属空気電池ユニット１００Ｂと金属空気電池ユニット１００Ｃと金属空気電池ユニット１００Ｄとが左右方向（Ｘ方向）および前後方向（Ｙ方向）において直列に連結されている。
図１１（図１１Ａおよび図１１Ｂ）において、８５５および８６５は、それぞれ、金属空気電池５０５の正極端子および負極端子である。
【００７２】
金属空気電池５０５の正極端子８５５は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０５の負極端子８６５は、連結コネクタ７０と同一構造の連結コネクタにおける一方のプラグ端子を、金属空気電池ユニット１００Ｄの第２負極端子６２に挿入することにより設けられた当該連結コネクタの他方のプラグ端子からなる。
【００７３】
（６）第６実施形態：
図１２（図１２Ａおよび図１２Ｂ）に示す本実施形態の金属空気電池５０６は、６個の金属空気電池ユニット１００Ａ、１００Ｂ、１００Ｃ、１００Ｄ、１００Ｅおよび１００Ｆにより構成されている。
【００７４】
この金属空気電池５０６では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの左側面２０４Ｂと、金属空気電池ユニット１００Ｃを構成する筐体２０Ｃの右側面２０３Ｃとが接近または接触し、金属空気電池ユニット１００Ｃを構成する筐体２０Ｃの背面２０２Ｃと、金属空気電池ユニット１００Ｄを構成する筐体２０Ｄの背面２０２Ｄとが接近または接触し、金属空気電池ユニット１００Ｄを構成する筐体２０Ｄの左側面２０４Ｄと、金属空気電池ユニット１００Ｅを構成する筐体２０Ｅの右側面２０３Ｅとが接近または接触し、金属空気電池ユニット１００Ｅを構成する筐体２０Ｅの左側面２０４Ｅと、金属空気電池ユニット１００Ｆを構成する筐体２０Ｆの右側面２０３Ｆとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第２負極端子６２と、金属空気電池ユニット１００Ｃの第２正極端子５２とが、連結コネクタ７０によって接続され、金属空気電池ユニット１００Ｃの第１負極端子６１と、金属空気電池ユニット１００Ｄの第１正極端子５１とが、連結コネクタ７０によって接続され、金属空気電池ユニット１００Ｄの第２負極端子６２と、金属空気電池ユニット１００Ｅの第２正極端子５２とが、連結コネクタ７０によって接続され、金属空気電池ユニット１００Ｅの第２負極端子６２と、金属空気電池ユニット１００Ｆの第２正極端子５２とが、連結コネクタ７０によって接続され、これにより、金属空気電池ユニット１００Ａと金属空気電池ユニット１００Ｂと金属空気電池ユニット１００Ｃと金属空気電池ユニット１００Ｄと金属空気電池ユニット１００Ｅと金属空気電池ユニット１００Ｆとが左右方向（Ｘ方向）および前後方向（Ｙ方向）において直列に連結されている。
図１２（図１２Ａおよび図１２Ｂ）において、８５６および８６６は、それぞれ、金属空気電池５０６の正極端子および負極端子である。
【００７５】
金属空気電池５０６の正極端子８５６は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０６の負極端子８６６は、連結コネクタ７０と同一構造の連結コネクタにおける一方のプラグ端子を、金属空気電池ユニット１００Ｆの第２負極端子６２に挿入することにより設けられた当該連結コネクタの他方のプラグ端子からなる。
【００７６】
（７）第７実施形態：
図１３（図１３Ａおよび図１３Ｂ）に示す本実施形態の金属空気電池５０７は、８個の金属空気電池ユニット１００Ａ、１００Ｂ、１００Ｃ、１００Ｄ、１００Ｅ、１００Ｆ、１００Ｇおよび１００Ｈにより構成されている。
【００７７】
この金属空気電池５０７では、金属空気電池ユニット１００Ａを構成する筐体２０Ａの左側面２０４Ａと、金属空気電池ユニット１００Ｂを構成する筐体２０Ｂの右側面２０３Ｂとが接近または接触し、金属空気電池ユニット１００Ｂを構成する筐体２０Ｂの左側面２０４Ｂと、金属空気電池ユニット１００Ｃを構成する筐体２０Ｃの右側面２０３Ｃとが接近または接触し、金属空気電池ユニット１００Ｃを構成する筐体２０Ｃの左側面２０４Ｃと、金属空気電池ユニット１００Ｄを構成する筐体２０Ｄの右側面２０３Ｄとが接近または接触し、金属空気電池ユニット１００Ｄを構成する筐体２０Ｄの背面２０２Ｄと、金属空気電池ユニット１００Ｅを構成する筐体２０Ｅの背面２０２Ｅとが接近または接触し、金属空気電池ユニット１００Ｅを構成する筐体２０Ｅの左側面２０４Ｅと、金属空気電池ユニット１００Ｆを構成する筐体２０Ｆの右側面２０３Ｆとが接近または接触し、金属空気電池ユニット１００Ｆを構成する筐体２０Ｆの左側面２０４Ｆと、金属空気電池ユニット１００Ｇを構成する筐体２０Ｇの右側面２０３Ｇとが接近または接触し、金属空気電池ユニット１００Ｇを構成する筐体２０Ｇの左側面２０４Ｇと、金属空気電池ユニット１００Ｈを構成する筐体２０Ｈの右側面２０３Ｈとが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第２負極端子６２と、金属空気電池ユニット１００Ｃの第２正極端子５２とが、連結コネクタ７０によって接続され、金属空気電池ユニット１００Ｃの第２負極端子６２と、金属空気電池ユニット１００Ｄの第２正極端子５２とが、連結コネクタ７０によって接続され、金属空気電池ユニット１００Ｄの第１負極端子６１と、金属空気電池ユニット１００Ｅの第１正極端子５１とが、連結コネクタ７０によって接続され、金属空気電池ユニット１００Ｅの第２負極端子６２と、金属空気電池ユニット１００Ｆの第２正極端子５２とが、連結コネクタ７０によって接続され、金属空気電池ユニット１００Ｆの第２負極端子６２と、金属空気電池ユニット１００Ｇの第２正極端子５２とが、連結コネクタ７０によって接続され、金属空気電池ユニット１００Ｇの第２負極端子６２と、金属空気電池ユニット１００Ｈの第２正極端子５２とが、連結コネクタ７０によって接続され、これにより、金属空気電池ユニット１００Ａと金属空気電池ユニット１００Ｂと金属空気電池ユニット１００Ｃと金属空気電池ユニット１００Ｄと金属空気電池ユニット１００Ｅと金属空気電池ユニット１００Ｆと金属空気電池ユニット１００Ｇと金属空気電池ユニット１００Ｈとが左右方向（Ｘ方向）および前後方向（Ｙ方向）において直列に連結されている。
図１３（図１３Ａおよび図１３Ｂ）において、８５７および８６７は、それぞれ、金属空気電池５０７の正極端子および負極端子である。
【００７８】
金属空気電池５０７の正極端子８５７は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０７の負極端子８６７は、連結コネクタ７０と同一構造の連結コネクタにおける一方のプラグ端子を、金属空気電池ユニット１００Ｈの第２負極端子６２に挿入することにより設けられた当該連結コネクタの他方のプラグ端子からなる。
【００７９】
（８）第８実施形態：
図１４に示す本実施形態の金属空気電池５０８は、２個の金属空気電池ユニット１００Ａおよび１００Ｂにより構成されている。
【００８０】
この金属空気電池５０８では、金属空気電池ユニット１００Ｂを構成する筐体２０Ｂの上面に、金属空気電池ユニット１００Ａを構成する筐体２０Ａが、筐体２０Ｂと同じ方向を向いた状態で積み重ねられ、金属空気電池ユニット１００Ａの第１負極端子６１と、金属空気電池ユニット１００Ｂの第１正極端子５１とが、連結治具７５によって接続され、これにより、金属空気電池ユニット１００Ａと金属空気電池ユニット１００Ｂとが上下方向（Ｚ方向）において直列に連結されている。
図１４において、８５８および８６８は、それぞれ、金属空気電池５０８の正極端子および負極端子である。
【００８１】
本実施形態で使用される連結治具７５は、図１４（２）に示すように、板状体の両側に互いに同径のプラグ端子７５１および７５２を有している。
本実施形態では、連結治具７５のプラグ端子７５１を金属空気電池ユニット１００Ａの第１負極端子６１（ジャック端子）に挿入するとともに、プラグ端子７５２を、金属空気電池ユニット１００Ｂの第１正極端子５１（ジャック端子）に挿入することにより、第１負極端子６１と第１正極端子５１とが接続されて、金属空気電池ユニット１００Ａと、金属空気電池ユニット１００Ｂとが連結される。
【００８２】
金属空気電池５０８の正極端子８５８は、他の実施形態で使用されている連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０８の負極端子８６８は、他の実施形態で使用されている連結コネクタ７０と同一構造の連結コネクタにおける一方のプラグ端子を、金属空気電池ユニット１００Ｂの第２負極端子６２に挿入することにより設けられた当該連結コネクタの他方のプラグ端子からなる。
【００８３】
（９）第９実施形態：
図１５に示す本実施形態の金属空気電池５０９は、３個の金属空気電池ユニット１００Ａ、１００Ｂおよび１００Ｃにより構成されている。
【００８４】
この金属空気電池５０９では、金属空気電池ユニット１００Ｂを構成する筐体２０Ｂの上面に、金属空気電池ユニット１００Ａを構成する筐体２０Ａが、筐体２０Ｂと同じ方向を向いた状態で積み重ねられ、金属空気電池ユニット１００Ｂを構成する筐体２０Ｂの左側面と、金属空気電池ユニット１００Ｃを構成する筐体２０Ｃの右側面とが接近または接触し、金属空気電池ユニット１００Ａの第１負極端子６１と、金属空気電池ユニット１００Ｂの第１正極端子５１とが、連結治具７５によって接続され、金属空気電池ユニット１００Ｂの第２負極端子６２と、金属空気電池ユニット１００Ｃの第２正極端子５２とが、連結コネクタ７０によって接続され、これにより、金属空気電池ユニット１００Ａと金属空気電池ユニット１００Ｂと金属空気電池ユニット１００Ｃとが上下方向（Ｚ方向）および左右方向（Ｘ方向）において直列に連結されている。
図１５において、８５９および８６９は、それぞれ、金属空気電池５０９の正極端子および負極端子である。
【００８５】
金属空気電池５０９の正極端子８５９は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５０９の負極端子８６９は、連結コネクタ７０と同一構造の連結コネクタにおける一方のプラグ端子を、金属空気電池ユニット１００Ｃの第２負極端子６２に挿入することにより設けられた当該連結コネクタの他方のプラグ端子からなる。
【００８６】
（１０）第１０実施形態：
図１６に示す本実施形態の金属空気電池５１０は、４個の金属空気電池ユニット１００Ａ、１００Ｂ、１００Ｃおよび１００Ｄにより構成されている。
【００８７】
この金属空気電池５１０では、金属空気電池ユニット１００Ｃを構成する筐体２０Ｃの上面に、金属空気電池ユニット１００Ａを構成する筐体２０Ａが、筐体２０Ｃと同じ方向を向いた状態で積み重ねられ、金属空気電池ユニット１００Ｄを構成する筐体２０Ｄの上面に、金属空気電池ユニット１００Ｂを構成する筐体２０Ｂが、筐体２０Ｄと同じ方向を向いた状態で積み重ねられ、金属空気電池ユニット１００Ｃを構成する筐体２０Ｃの背面と、金属空気電池ユニット１００Ｄを構成する筐体２０Ｄの背面とが接近または接触し、金属空気電池ユニット１００Ａを構成する筐体２０Ａの背面と、金属空気電池ユニット１００Ｂを構成する筐体２０Ｂの背面とが接近または接触し、金属空気電池ユニット１００Ａの第１負極端子６１と、金属空気電池ユニット１００Ｂの第１正極端子５１とが、連結コネクタ７０によって接続され、金属空気電池ユニット１００Ｂの第２負極端子６２と、金属空気電池ユニット１００Ｃの第２正極端子５２とが、連結治具７５によって接続され、金属空気電池ユニット１００Ｃの第１負極端子６１と、金属空気電池ユニット１００Ｄの第１正極端子５１とが、連結コネクタ７０によって接続され、これにより、金属空気電池ユニット１００Ａと金属空気電池ユニット１００Ｂと金属空気電池ユニット１００Ｃと金属空気電池ユニット１００Ｄとが前後方向（Ｙ方向）および高さ方向（Ｚ方向）において直列に連結されている。
図１６において、８５１０および８６１０は、それぞれ、金属空気電池５１０の正極端子および負極端子である。
【００８８】
金属空気電池５１０の正極端子８５１０は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５１０の負極端子８６１０は、連結コネクタ７０と同一構造の連結コネクタにおける一方のプラグ端子を、金属空気電池ユニット１００Ｄの第２負極端子６２に挿入することにより設けられた当該連結コネクタの他方のプラグ端子からなる。
【００８９】
（１１）第１１実施形態：
図１７および図１８に示す本実施形態の金属空気電池５１１は、８個の金属空気電池ユニット１００Ａ、１００Ｂ、１００Ｃ、１００Ｄ、１００Ｅ、１００Ｆ、１００Ｇおよび１００Ｈにより構成されている。
【００９０】
この金属空気電池５１１では、金属空気電池ユニット１００Ｅを構成する筐体２０Ｅの上面に、金属空気電池ユニット１００Ａを構成する筐体２０Ａが、筐体２０Ｅと同じ方向を向いた状態で積み重ねられ、金属空気電池ユニット１００Ｆを構成する筐体２０Ｆの上面に、金属空気電池ユニット１００Ｂを構成する筐体２０Ｂが、筐体２０Ｆと同じ方向を向いた状態で積み重ねられ、金属空気電池ユニット１００Ｇを構成する筐体２０Ｇの上面に、金属空気電池ユニット１００Ｃを構成する筐体２０Ｃが、筐体２０Ｇと同じ方向を向いた状態で積み重ねられ、金属空気電池ユニット１００Ｈを構成する筐体２０Ｈの上面に、金属空気電池ユニット１００Ｄを構成する筐体２０Ｄが、筐体２０Ｈと同じ方向を向いた状態で積み重ねられ、金属空気電池ユニット１００Ｅを構成する筐体２０Ｅの左側面と、金属空気電池ユニット１００Ｆを構成する筐体２０Ｆの右側面とが接近または接触し、金属空気電池ユニット１００Ｆを構成する筐体２０Ｆの背面と、金属空気電池ユニット１００Ｇを構成する筐体２０Ｇの背面とが接近または接触し、金属空気電池ユニット１００Ｇを構成する筐体２０Ｇの左側面と、金属空気電池ユニット１００Ｈを構成する筐体２０Ｈの右側面とが接近または接触し、金属空気電池ユニット１００Ａを構成する筐体２０Ａの左側面と、金属空気電池ユニット１００Ｂを構成する筐体２０Ｂの右側面とが接近または接触し、金属空気電池ユニット１００Ｂを構成する筐体２０Ｂの背面と、金属空気電池ユニット１００Ｃを構成する筐体２０Ｃの背面とが接近または接触し、金属空気電池ユニット１００Ｃを構成する筐体２０Ｃの左側面と、金属空気電池ユニット１００Ｄを構成する筐体２０Ｄの右側面とが接近または接触し、金属空気電池ユニット１００Ａの第２負極端子６２と、金属空気電池ユニット１００Ｂの第２正極端子５２とが、連結コネクタ７０によって接続され、金属空気電池ユニット１００Ｂの第１負極端子６１と、金属空気電池ユニット１００Ｃの第１正極端子５１とが、連結コネクタ７０によって接続され、金属空気電池ユニット１００Ｃの第２負極端子６２と、金属空気電池ユニット１００Ｄの第２正極端子５２とが、連結コネクタ７０によって接続され、金属空気電池ユニット１００Ｄの第２負極端子６２と、金属空気電池ユニット１００Ｅの第２正極端子５２とが、連結治具７５によって接続され、金属空気電池ユニット１００Ｅの第２負極端子６２と、金属空気電池ユニット１００Ｆの第２正極端子５２とが、連結コネクタ７０によって接続され、金属空気電池ユニット１００Ｆの第１負極端子６１と、金属空気電池ユニット１００Ｇの第１正極端子５１とが、連結コネクタ７０によって接続され、金属空気電池ユニット１００Ｇの第２負極端子６２と、金属空気電池ユニット１００Ｈの第２正極端子５２とが、連結コネクタ７０によって接続され、これにより、金属空気電池ユニット１００Ａと金属空気電池ユニット１００Ｂと金属空気電池ユニット１００Ｃと金属空気電池ユニット１００Ｄと金属空気電池ユニット１００Ｅと金属空気電池ユニット１００Ｆと金属空気電池ユニット１００Ｇと金属空気電池ユニット１００Ｈとが左右方向（Ｘ方向）、前後方向（Ｙ方向）および高さ方向（Ｚ方向）において直列に連結されている。
図１７において、８５１１および８６１１は、それぞれ、金属空気電池５１１の正極端子および負極端子である。
【００９１】
金属空気電池５１１の正極端子８５１１は、連結コネクタ７０と同一構造の連結コネクタにおける一方のプラグ端子を、金属空気電池ユニット１００Ａの第２正極端子５２に挿入することにより設けられた当該連結コネクタの他方のプラグ端子からなる。
金属空気電池５１１の負極端子８６１１は、連結コネクタ７０と同一構造の連結コネクタにおける一方のプラグ端子を、金属空気電池ユニット１００Ｈの第２負極端子６２に挿入することにより設けられた当該連結コネクタの他方のプラグ端子からなる。
【００９２】
上記の第１実施形態乃至第１１実施形態に係る金属空気電池５０１〜５１１は、複数個の金属空気電池ユニット１００をコード類を使用することなく直列に連結してなるので、その製造（組立）作業が簡単で、また、狭い空間において多数の金属空気電池ユニット１００を連結させることも可能であり、スペース効率にも優れている。
【符号の説明】
【００９３】
１００  金属空気電池ユニット
１１〜１５  金属空気電池セル
２０    筐体
２１    筐体本体
２３    蓋部
２０１  筐体の正面
２０２  筐体の背面
２０３  筐体の右側面
２０４  筐体の左側面
５１（５１１，５１２）  第１正極端子
５２（５２１，５２２）  第２正極端子
６１（６１１，６１２）  第１負極端子
６２（６２１，６２２）  第２負極端子
２２１〜２２５  給水ポート
２４  ハンドル（持ち手）
１５１〜１５５  金属空気電池セルの正極端子
１６１〜１６５  金属空気電池セルの負極端子
１７１〜１７４  導電板
１８１〜１８５  給水口
５３    導電板
５５    導電板
６３    導電板
６５    導電板
５０１〜５１１      金属空気電池
１００Ａ〜１００Ｈ  金属空気電池ユニット
２０Ａ〜２０Ｈ    筐体
８５１〜８５９、８５１０、８５１１  金属空気電池の正極端子
８６１〜８６９、８６１０、８６１１  金属空気電池の負極端子
７０  連結コネクタ
７０１，７０２  プラグ端子
７５  連結治具
７５１，７５２  プラグ端子
【図１】
0006552034.tif 000002
【図２】
0006552034.tif 000003
【図３】
0006552034.tif 000004
【図４】
0006552034.tif 000005
【図５】
0006552034.tif 000006
【図６】
0006552034.tif 000007
【図７Ａ】
0006552034.tif 000008
【図７Ｂ】
0006552034.tif 000009
【図８Ａ】
0006552034.tif 000010
【図８Ｂ】
0006552034.tif 000011
【図９Ａ】
0006552034.tif 000012
【図９Ｂ】
0006552034.tif 000013
【図１０Ａ】
0006552034.tif 000014
【図１０Ｂ】
0006552034.tif 000015
【図１１Ａ】
0006552034.tif 000016
【図１１Ｂ】
0006552034.tif 000017
【図１２Ａ】
0006552034.tif 000018
【図１２Ｂ】
0006552034.tif 000019
【図１３Ａ】
0006552034.tif 000020
【図１３Ｂ】
0006552034.tif 000021
【図１４】
0006552034.tif 000022
【図１５】
0006552034.tif 000023
【図１６】
0006552034.tif 000024
【図１７】
0006552034.tif 000025
【図１８】
0006552034.tif 000026